(57)【要約】【課題】机の作業面と上方位置の２ポジションで停止可能であると共に、机上面を広々と有効に使用でき、ノートパソコン移動時のノートパソコンの接続ケーブルの取扱いが容易でオフィスの美観が向上するノートパソコン等電子機器載置台を提供することを課題とする。【解決手段】ノートパソコン等電子機器載置台の載置台であるプレートの奥側端部を左右のリンク機構で片持ち支持し、前記リンク機構の４つの支点のうち対角する２つの支点間に張力を与えるための弾性体を設ける。また、ノートパソコン等電子機器に接続するケーブルを前記リンク機構に沿って配設する。【選択図】図１
2008194328.tif 000002
【特許請求の範囲】
【請求項１】
ノートパソコン等電子機器を載置するプレートと、２本の平行バーと、机に取付けるためのクランプ機構とで構成された、左右一対の平行リンク機構により、前記プレートが机の作業面位置と作業面から離れた机の上方位置との間を移動可能とするノートパソコン等電子機器載置台において、前記平行リンク機構が、前記プレートの奥側端部を片持ちで支持すると共に、前記クランプ機構側の回転軸部に左右の前記２本の平行バーのうち、対向する一対の平行バーを連結するシャフトと、前記２本の平行バーのうち、第一の平行バーの前記プレート側の第一回転軸部と前記第一回転部と対角をなす第二の平行バーの前記クランプ機構側の第二回転軸部との間に張力を与える弾性体と、ノートパソコン等電子機器に接続されるケーブルを、前記平行リンク機構に沿って配設するためのケーブル案内部材とを具備することを特徴とする、ノートパソコン等電子機器載置台。
【請求項２】
前記弾性体の張力を調節するための機構を具備することを特徴とする、請求項１のノートパソコン等電子機器載置台。
【請求項３】
前記平行リンク機構を構成する前記第一の平行バーと前記第二の平行バーの間には、前記プレートが机の作業面位置と上方位置の各停止位置近傍に移動したときに機能する、衝撃吸収部材を具備していることを特徴とする、請求項１のノートパソコン等電子機器載置台。
【発明の詳細な説明】
【技術分野】
【０００１】
本発明は、ノートパソコン等の電子機器を載せて、机上で上下移動させ、机の作業面と机の上方位置の２ポジションで停止させるための、ノートパソコン等電子機器の載置台に関するものである。
【背景技術】
【０００２】
ノートパソコンあるいは携帯端末等の電子機器を机上で操作する時、通常時はノートパソコンあるいは携帯端末等の電子機器を机上に置いて操作する。そしてノートパソコンあるいは携帯端末等の電子機器の操作以外の業務をするときは、ノートパソコンあるいは携帯端末等の電子機器を別の場所に移動させ、机上に必要なスペースを確保しているのが現状である。最近は、ノートパソコンあるいは携帯端末等の電子機器を電源の他、インターネット、プリンタ等外部機器に接続して操作する場合がほとんどであり、それら電源、外部機器との接続ケーブルが、ノートパソコンあるいは携帯端末等の電子機器を別の場所に移動させる際邪魔になるとともに、事務所内が雑然とした状態になってしまっている。さらに、ノートパソコンあるいは携帯端末等の電子機器を移動させるためのスペースを常に確保しておかなくてはならず、オフィスのスペース効率が悪くなっている。また、最近はインターネット、DVDなどの普及で、これらを使用しての学習、調査など、机上で筆記、書見をしながらノートパソコンあるいは携帯端末等の電子機器の画面をみる必要も出てきており、ノートパソコンあるいは携帯端末等の電子機器を机上面と机の上方位置の２ポジションで使用する必要性も大きくなってきている。
【０００３】
以上の問題に対する先行技術として、特許文献1、特許文献２がある。特許文献１では、（１）平行リンクによりノートパソコンの位置、姿勢を自在に変更できる機構、（２）ノートパソコンを載置した台を、机上面で前後にスライドする機構が提案されている。（１）の平行リンクによるものは、ノートパソコンの位置、姿勢が自在になるが、平行リンクを２個組合わせているため、平行リンクの可動範囲が大きく、事務所内に机を相向き合いに設置するには不向きである。また、（２）の載置台スライド方式は、机上面にスライドのためのデッドスペースが出来てしまい、その場所に事務用品などを置けないという難点がある。特許文献２では、前方支持脚と後方支持脚の間隔を大きくしているため、ノートパソコン不使用時に載置台を上方位置に上昇させても、前方支持脚が邪魔になり載置台の下の机上面が完全にフリーにならない。また、特許文献１、特許文献２ともに、ノートパソコンへの接続ケーブルの配設方法については開示されていない。
【特許文献１】特開２００２−２５８９８４
【特許文献２】特開２０００−８３７４４
【発明の開示】
【発明が解決しようとする課題】
【０００４】
本発明は上記問題点を解決するもので、机の作業面と上方位置の２ポジションで衝撃を受けることなく停止可能であると共に、机上面を広々と有効に使用でき、ノートパソコンあるいは携帯端末等の電子機器移動時における、ノートパソコンあるいは携帯端末等の電子機器の接続ケーブルの取扱いが容易でオフィスの美観が向上する、ノートパソコン等電子機器載置台を提供することを課題とする。また、重量の異なるノートパソコンあるいは携帯端末等の電子機器に対して、１台で対応できるノートパソコン等電子機器載置台を提供することを課題とする。
【課題を解決するための手段】
【０００５】
上記課題を解決するために、ノートパソコン等電子機器を載置するプレートと、２本の平行バーと、机に取付けるためのクランプ機構とで構成された、左右一対の平行リンク機構により、前記プレートが机の作業面位置と作業面から離れた机の上方位置との間を移動可能とするノートパソコン等電子機器載置台において、前記平行リンク機構が、前記プレートの奥側端部を片持ちで支持すると共に、前記クランプ機構側の回転軸部に左右の前記２本の平行バーのうち、対向する一対の平行バーを連結するシャフトと、前記２本の平行バーのうち、第一の平行バーの前記プレート側の第一回転軸部と前記第一回転部と対角をなす第二の平行バーの前記クランプ機構側の第二回転軸部との間に張力を与える弾性体と、ノートパソコン等電子機器に接続されるケーブルを、前記平行リンク機構に沿って配設するためのケーブル案内部材とを備えている。前記平行リンク機構が前記プレートを片持ちすることにより、机の作業面が有効に使用できる。前記第一回転部と前記第二回転部を結合する前記弾性体の張力の作用により、前記プレートに載置したノートパソコン等電子機器の重量で押圧することにより、あるいは重量に抗して机の作業面位置と作業面から離れた机の上方位置の２ポジションにおいて停止することができる。また、ノートパソコン等電子機器に接続されるケーブルを前記アームに沿って配設させるためのケーブル案内部材を具備している。これにより何本かあるケーブルをまとめることが出来、机上面を整然とした状態にすることが出来る。
【０００６】
さらに、前記弾性体の張力を調節するための機構を具備し、載置するノートパソコン等電子機器の重量に応じて、張力を調節可能にしている。これにより、ノートパソコン等電子機器に応じて弾性体の張力を調節することにより、机の作業面位置と作業面から離れた机の上方位置の２ポジションにおいて、ノートパソコン等電子機器載置台を安定して停止することができる。
【０００７】
前記平行リンク機構を構成する前記第一の平行バーと前記第二の平行バーの間には、机の作業面位置と上方位置の各停止位置近傍で機能する衝撃吸収部材を具備し、衝撃を受けることなく停止するようにして操作性をよくしている。
【発明の効果】
【０００８】
本発明によれば、コンパクトな構造の平行リンク機構とし、ノートパソコン等電子機器を載置するプレートの奥側を片持ちで支持可能な構造としたため、机の作業面を広く、有効に使用できる。また、２ポジションで停止可能であるため、ノートパソコン等電子機器を机の上方位置に移動停止させることにより、机上で筆記、書見をしながらノートパソコンの画面を見ることが出来るので、インターネット、DVDを利用しての学習、調査に有効である。また、衝撃吸収部材を具備しているため、停止位置での衝撃がなく良好な操作性が得られる。さらに、ノートパソコン等電子機器への複数の接続ケーブルをアームに沿って配設案内しているため、机の作業面がすっきりし、整然とした美観の向上したオフィスが実現できる。また、ユーザが自分で耐加重を調節できるので、１台の本発明のノートパソコン等電子機器載置台で、重量の異なる各種ノートパソコン等電子機器に対応可能である。
【発明を実施するための最良の形態】
【０００９】
（実施例１）本発明は、ノートパソコン、携帯端末、ゲーム機、DVD装置等の電子機器に幅広く適用可能であるが、以下ノートパソコンを例にとって説明する。図１の（a）、（b）、（c）は、本発明の載置台を机に取付けた状態を示しており、図１（a）はプレート１が机の作業面位置にある場合、図１（b）は、机の上方位置にある場合、図１（c）は、机の作業面と上方位置の中間にある場合を示している。プレート１にはノートパソコンが載置されている。左右一対の平行リンク機構２は、一方の端部がプレート１の奥側端部でプレート１を片持ちするように取付けられ、もう一方の端部がクランプ３に取付けられている。クランプ３はコの字になっていて、２本のクランプネジ４で机の端部に取付けられている。
【００１０】
ケーブル５は、電源、モデム、プリンタ等の外部機器とノートパソコンを接続するもので、平行リンク機構２に沿って配設され、平行リンク機構２の動きに差し支えないように余長を持たせている。ケーブル５はケーブルホルダー６で平行リンク機構１に沿って固定されている。
【００１１】
プレート１の先端部Aを手で掴み上下させると、平行リンク機構２の作用によりプレート１は机の作業面と平行の姿勢を保ったまま上下に移動して、机の作業面と机の上方位置において安定的に停止する。
【００１２】
図２（a）は、左右１対ある平行リンク機構２のうちの一方を構成する右側の平行リンク機構２を示している。もう一方の左側の平行リンク機構２も同じ構成となっている。図２（b）は平行バー７a、７bの部品図である。第一の平行バー７a、第二の平行バー７bの両端側には孔１０があけられており、プレート１に固定された軸８a、８bとクランプ３に固定された軸８cおよびシャフト１１（図１にも図示）の軸部９に勘合する。軸８aが第一の平行バー７aのプレート１側の第一回転軸部、軸８cが第二の平行バー７bのクランプ機構３側の第二回転軸部に相当する。シャフト１１はクランプ３の左右の立上り部１２a（図１にも図示）の図示しない孔に回転自在に挿通され、立上り部１２aの内側でEリング１３aにより軸方向のズレが出ないようなっており、その両端が軸部９になっている。平行バー７a、７bと軸８a、８b、８cの勘合部は、勘合させた後Eリング１３bを軸８a、８b、８cの図示しないEリング溝に挿入している。第一の平行バー７aのシャフト１１の軸部９との勘合部は、第一の平行バー７a、第二の平行バー７bを組立後、左右の平行リンク機構２の位置合わせをしてから熔接にて固定している。そうすることにより、シャフト１１と左右の第二の平行バー７bが一体となって回動し、左右の平行リンク機構２相互のズレがなくなる。以上により、第一の平行バー７a、第二の平行バー７b、プレート１の片持ち部、クランプ３の立上り部１２aにより平行リンク機構２が構成され、クランプ３の立上り部１２aが固定節となることにより、プレート１が机の作業面と平行の姿勢を保ったまま上下に移動可能となる。
【００１３】
上記平行リンク機構２には、弾性体としてのスプリング１４が、平行リンク機構の対角をなす軸８a、軸８cに取付けられていて、軸８a、軸８c間に所定の張力を付与している。このスプリング１４の張力は、プレート１が移動して最下面である作業面に位置したとき、プレート１を作業面から持ち上げる方向に作用し、プレート１が移動して上方での停止位置に来たとき、プレート１をさらに上方に引上げるように作用する。従って、スプリング１４の張力をプレート１に載置するノートパソコンの重量を考慮して選定すれば、机の作業面、上方位置の各停止位置で安定して停止させることができる。すなわち、作業面においてはノートパソコンの重量がスプリング１４の張力に打ち克ちプレート１を机の作業面に押付け、上方での停止位置ではスプリング１４の張力がノートパソコンの重量に打ち克ちプレート１をさらに上方に引上げる力が働くように、スプリング１４の張力を選定すればよい。従って、ノートパソコンの重量をランクわけし、各ランクに対応するスプリング１４をオプションとして何本か用意してもよいが、ユーザがスプリング１４の張力を調節できるようにすればより便利である。図２（c）は、スプリング１４の張力調節機構の詳細を示しており、張力調節用ネジ１５と張力調節用ブロック１６によりスプリング１４の張力を調節可能としている。張力調節用ブロック１６には、張力調節用ネジ１５用のネジ穴が切ってあると共に、スプリング１４の一端が結合されている。張力調節用ネジ１５を時計方向に回すと、張力調節用ブロック１６がスプリング１４を伸ばす方向に移動してスプリング１４の張力を強め、張力調節用ネジ１５を反時計方向に回すと、張力調節用ブロック１６がスプリング１４を縮める方向に移動してスプリング１４の張力を弱める。従って、張力調節用ブロック１６の位置と、載置するパソコンの重量の関係を表示しておけば、ユーザが使用するパソコンの重量に応じてスプリング１４の張力を調整できる。本実施例ではスプリング１４の両側に張力調節機構を設けているが、片側だけでもよい。
【００１４】
第一の平行バー７a、第二の平行バー７bの幅寸法と間隔Ｌを平行リンクとして機能する必要最小限の寸法とすることにより、平行リンク機構２をコンパクトにでき、載置台を机に取付けた際、机の作業面をより広く使用可能となる。
【００１５】
平行リンク機構２は、プレート１が机の作業面、上方位置の各停止位置で停止する際の衝撃を吸収する衝撃吸収部材として、ショックアブソーバ１７を具備している。ショックアブソーバ１７は、第二の平行バー７bのＬ字状部分Ｂに取付けられている。そして、プレート１が机の作業面、上方位置の各停止位置の近傍にきたとき、ショックアブソーバ１７の先端部Cが、第一の平行バー７aのL字状部分Bに当接しはじめ、プレート１が各停止位置で完全に停止する際の衝撃を吸収する。
【００１６】
内カバー１８は二本のネジ１９で第一の平行バー７aに取付けられ、軸８b、軸部９の逃げとして、円弧状の切欠き部D、Eが設けられている。外カバー２０は、内カバー１８に取付けられている。
【００１７】
上記の実施例では衝撃吸収部材としてショックアブソーバを使用しているが、同様の機能を持つものであればこれに限らない。例えば、第一の平行バー７a、第二の平行バー７bの何れか一方、あるいは両方のL字部分Bに、ゴム等の弾性体を取付けてもよい。また、ケーブル５の固定用に、本実施例ではケーブルホルダー６を使用しているが、ケーブルダクトを設けるとか、内カバー１８あるいは外カバー２０をケーブルダクトと共用にしてもよい。また、シャフト１１は左右の第一の平行バー７aを熔接にて連結しているが、これに限らずネジ締めあるいは接着でもよく、第一の平行バー７aでなく第二の平行バー７bをシャフト１１と連結しても同じ効果が得られる。  
【００１８】
実施例１は本発明の基本的要素について説明した。以下の実施例２、３、４では実施例１の要素を使用し、より使いやすくした事例につき説明する。
【００１９】
（実施例２）図３は、実施例１のクランプ３の変形例である。載置台を横方向にスライドできる構造にして、机の作業面の利用に一層の自由度を与えている。これを実現するため、実施例１のクランプ３を二つに分けている。スライド部材２０と固定部材２１がそれに該当し、固定部材２１がクランプネジ４で机に固定される。固定部材２１には、２個の摺動受け２２とレール状の固定スライドガイド２３が備えられており、スライド部材２０には２個の可動スライドガイド２４が備えられている。可動スライドガイド２４は、固定スライドガイド２３と勘合して、固定スライドガイド２３に沿って摺動する。平行リンク機構２は、実施例１と同様の方法でスライド部材２０に取付けられる。摺動受け２２の材料としてはポリアセタールなど滑りのよい樹脂が適当である。以上の構成により、載置台を左右方向に移動可能となる。
【００２０】
（実施例３）図４は、実施例１のクランプ３の第２の変形例である。ユーザが、自分の好みに合わせ、自由に載置台の向きを変更できる様にしている。そのために、実施例１のクランプ３を二つに分けている。固定部材２５は、クランプネジ４で机に固定される。固定部材２５の中央には、回転中心軸２８と固定ナット２６用のネジ孔が設けられている。回転部材２７には固定ナット２６が挿通する扇形の切り欠部Fと、回転中心軸２８が挿通する穴が設けられている。平行リンク機構２は、実施例１と同様の方法で回転部材２７に取付けられる。 以上の構成により、載置台を切り欠部Fの範囲内で回転可能となり、固定ナット２６でユーザの希望の角度で固定できる。尚、本実施例では、回転中心軸２８、固定ナット２６の２つを設けているが、固定ナットを回転中心軸の位置に設け、固定ナットに回転中心軸としての機能を持たせ、部品を削減することも可能である。
【００２１】
（実施例４）図５は、実施例１のプレート１の変形例である。実施例３では、載置台を机に固定する側で載置台を回転するような構成にしているが、本実施例は、プレート１側でパソコンの向きを変える構成としている。プレート１に回転軸２９と、回転軸２９を中心とする円周上に均等に配置した、３個の摺動受け３０を備えている。回転円盤３１は回転軸２９と勘合する穴をその中心に有し、回転軸２９を中心として３個の摺動受け３０の上を回転し、載置されているパソコンの方向を変えることが出来る。
【００２２】
以上の実施例２、３、４は単独に適用してもよいが、組合わせて適用してもよいことはもちろんである。
【図面の簡単な説明】
【００２３】
【図１】本発明の実施例１を示す。
【図２】本発明の平行リンク機構の細部を示す。
【図３】本発明の実施例２を示す。
【図４】本発明の実施例３を示す。
【図５】本発明の実施例４を示す。
【符号の説明】
【００２４】
１．プレート
２．平行リンク機構
３．クランプ
４．クランプネジ
５．ケーブル
６．ケーブルホルダー
７a．第一の平行バー
７b．第二の平行バー
８a．軸（第一回転部）
８b．軸
８c．軸
９．軸部（第二回転部）
１０．孔
１１．シャフト
１２a．立上り部
１３a．Eリング
１３b．Eリング
１４．スプリング
１５．張力調節用ネジ 
１６．張力調節用ブロック 
１７．ショックアブソーバー
１８．内カバー
１９．ネジ
２０．外カバー
２１．固定部材
２２．摺動受け
２３．固定スライドガイド
２４．可動スライドガイド
２５．固定部材
２６．固定ナット
２７．回転部材
２８．回転中心軸
２９．回転軸
３０．摺動受け
A．先端部
B．L字部分
C．先端部
D．切欠き部
E．切欠き部
F．切欠き部
【図１】
2008194328.tif 000003
【図２】
2008194328.tif 000004
【図３】
2008194328.tif 000005
【図４】
2008194328.tif 000006
【図５】
2008194328.tif 000007